(57)【要約】【課題】一定の関係を有する複数の利用者のそれぞれの携帯端末のみにより、無線を用いて、共同して使用できる画像形成装置を提供する。【解決手段】携帯端末との間で無線により通信を行う画像形成装置１００は、無線により通信を行う無線通信部１１９、無線通信部１１９により、複数台の携帯端末から、それぞれの携帯端末を示す識別情報を取得する取得部１２２、取得した複数の識別情報を表示する表示部１１２、表示された前記識別情報のうち、利用者の操作により、複数の識別情報の選択を受け付ける操作入力部１１４、選択を受け付けた前記識別情報により示される複数の携帯端末との間のみで、無線通信部１１９により、無線通信の確立を行う通信確立部１２３を備える。【選択図】図２
2019202439.tif 000002
【特許請求の範囲】
【請求項１】
携帯端末との間で無線により通信を行う画像形成装置であって、
無線により通信を行う無線通信手段と、
前記無線通信手段により、複数台の携帯端末から、それぞれの携帯端末を示す識別情報を取得する取得手段と、
前記取得手段により取得した複数の識別情報を表示する表示手段と、
前記表示手段により表示された前記識別情報のうち、利用者の操作により、複数の識別情報の選択を受け付ける入力手段と、
前記入力手段により選択を受け付けた前記識別情報により示される複数の携帯端末との間のみで、前記無線通信手段により、無線通信の確立を行う通信確立手段と
を備えることを特徴とする画像形成装置。
【請求項２】
前記携帯端末は、前記識別情報の一部として、利用者に関連する情報であるプロフィール情報を記憶しており、
前記取得手段は、前記プロフィール情報を含む前記識別情報を取得し、
前記表示手段は、前記取得手段により取得した前記識別情報を表示する
ことを特徴とする請求項１に記載の画像形成装置。
【請求項３】
前記取得手段により取得した前記識別情報により示される携帯端末に識別番号を付与する番号付与手段と、
前記識別情報により示される前記携帯端末に対して、前記無線通信手段により、
前記識別番号を送信する送信手段を備え、
前記表示手段は、付与された識別番号とともに、識別情報を表示する
ことを特徴とする請求項１に記載の画像形成装置。
【請求項４】
前記無線通信手段により無線通信が確立された前記携帯端末との間で、データの送受信を行うデータ送受信手段と、
を備えることを特徴とする請求項１に記載の画像形成装置。
【請求項５】
前記データ送受信手段は、無線通信が確立された前記携帯端末から、データを受信し、
さらに、受信したデータを印刷する印刷手段
を備えることを特徴とする請求項４に記載の画像形成装置。
【請求項６】
さらに、原稿面上の原稿画像を読み取って、前記データとして多階調画像データを生成する画像読取手段を備え、
前記データ送受信手段は、生成された前記データを無線通信が確立された前記携帯端末に対して送信する
ことを特徴とする請求項４に記載の画像形成装置。
【請求項７】
前記入力手段は、さらに、利用者の操作により、前記画像形成装置により提供されるサービスを利用した場合における対価の決済方法の入力を受け付け、前記決済方法は、複数の前記携帯端末により前記画像形成装置により提供されるサービスを利用した場合において、特定の一台の携帯端末に対して、対価を集約して請求するか、又は、前記複数の携帯端末の各々に対して、対価を請求するかを示し、
前記画像形成装置は、さらに、前記決済方法に従って、特定の一台の携帯端末に対して、対価を集約して請求するか、又は、前記複数の携帯端末の各々に対して、対価を請求するかを決定し、特定の一台の携帯端末について、集約した対価を示す対価情報を生成し、又は、前記複数の携帯装置の各々について、対価を示す対価情報を生成する対価情報生成手段を備え、
前記データ送受信手段は、前記無線通信手段により、生成した対価情報を、特定の一台の携帯端末、又は、前記複数の携帯装置の各々に対して送信する
ことを特徴とする請求項４に記載の画像形成装置。
【請求項８】
複数の携帯端末と、前記携帯端末との間で無線により通信を行う画像形成装置とから構成されるサービスシステムであって、
前記画像形成装置は、
無線により通信を行う無線通信手段と、
前記無線通信手段により、複数台の携帯端末から、それぞれの携帯端末を示す識別情報を取得する取得手段と、
前記取得手段により取得した複数の識別情報を表示する表示手段と、
前記表示手段により表示された前記識別情報のうち、利用者の操作により、複数の識別情報の選択を受け付ける入力手段と、
前記入力手段により選択を受け付けた前記識別情報により示される複数の携帯端末との間のみで、前記無線通信手段により、無線通信の確立を行う通信確立手段と
を備えることを特徴とするサービスシステム。
【請求項９】
無線により通信を行う無線通信手段を備え、携帯端末との間で無線により通信を行う画像形成装置で用いられる制御方法であって、
前記無線通信手段により、複数台の携帯端末から、それぞれの携帯端末を示す識別情報を取得する取得ステップと、
前記取得ステップにより取得した複数の識別情報を表示する表示ステップと、
前記表示ステップにより表示された前記識別情報のうち、利用者の操作により、複数の識別情報の選択を受け付ける入力ステップと、
前記入力ステップにより選択を受け付けた前記識別情報により示される複数の携帯端末との間のみで、前記無線通信手段により、無線通信の確立を行う通信確立ステップと
を含むことを特徴とする制御方法。
【請求項１０】
無線により通信を行う無線通信手段を備え、携帯端末との間で無線により通信を行う画像形成装置で用いられる制御用のコンピュータプログラムを記憶している記録媒体であって、
前記無線通信手段により、複数台の携帯端末から、それぞれの携帯端末を示す識別情報を取得する取得ステップと、
前記取得ステップにより取得した複数の識別情報を表示する表示ステップと、
前記表示ステップにより表示された前記識別情報のうち、利用者の操作により、複数の識別情報の選択を受け付ける入力ステップと、
前記入力ステップにより選択を受け付けた前記識別情報により示される複数の携帯端末との間のみで、前記無線通信手段により、無線通信の確立を行う通信確立ステップと
を実行するコンピュータプログラムを記憶している記録媒体。
【請求項１１】
無線により通信を行う無線通信手段を備え、携帯端末との間で無線により通信を行う画像形成装置で用いられる制御用のコンピュータプログラムであって、
コンピュータである画像形成装置に、
前記無線通信手段により、複数台の携帯端末から、それぞれの携帯端末を示す識別情報を取得する取得ステップと、
前記取得ステップにより取得した複数の識別情報を表示する表示ステップと、
前記表示ステップにより表示された前記識別情報のうち、利用者の操作により、複数の識別情報の選択を受け付ける入力ステップと、
前記入力ステップにより選択を受け付けた前記識別情報により示される複数の携帯端末との間のみで、前記無線通信手段により、無線通信の確立を行う通信確立ステップと
を実行させるためのコンピュータプログラム。
【発明の詳細な説明】
【技術分野】
【０００１】
本発明は、画像形成装置と複数台の携帯端末との間で、無線により、通信を確立する技術に関する。
【背景技術】
【０００２】
コンビニエンスストア等の公共の場所に設置されているマルチコピー機（以下、画像形成装置）により、利用者に対して、利用者のスマートフォン（以下、携帯端末）に記憶されている写真や文書を印刷するプリントサービスや、紙面上の原稿画像を読み取って、携帯端末に取り込むスキャンサービス等が提供されるようになってきている。
【０００３】
画像形成装置と携帯端末との間においては、Ｗｉ−Ｆｉ等の無線により、データが送受信される。
【０００４】
携帯端末に記憶されている写真をコンビニエンスストアに設置されている画像形成装置によりプリントする場合の操作手順は、例えば、おおよそ次の通りである。
【０００５】
携帯端末の操作画面で、写真をプリントする機能を選択し、プリントする写真を選択する。次に、画像形成装置の操作画面で、携帯端末から写真を受信してプリントする機能を選択すると、画像形成装置にＷｉ−Ｆｉの接続先と接続パスワードが表示される。次に、利用者は、画像形成装置に表示されたＷｉ−Ｆｉの接続先を、携帯端末において入力し、続いて、画像形成装置に表示された接続パスワードを、携帯端末において入力する。
【０００６】
以上の操作により、画像形成装置と携帯端末との間のＷｉ−Ｆｉによる接続が完了し、利用者により選択された写真が携帯端末から画像形成装置に送信され、画像形成装置において、写真がプリントされる。
【０００７】
しかし、上記のように、画像形成装置と携帯端末との間のＷｉ−Ｆｉ接続の設定操作においては、画像形成装置の操作画面に表示されたＷｉ−Ｆｉの接続先及び接続パスワードを携帯端末において入力しなければならず、Ｗｉ−Ｆｉ接続の設定操作は、利用者には、煩わしいという問題がある。
【０００８】
この問題を解決するため、特許文献１によると、画像形成装置は、携帯端末と無線により通信し、通信エリア内の通信可能な携帯端末を自動的に検出し、検出した携帯端末の端末名、ＭＡＣアドレス、メールアドレス等を、画像形成装置の表示部に、送信先選択画面として表示し、利用者は、表示された送信先選択画面から所望の携帯端末を選択し、選択した携帯端末に対して、情報を送信する。このように、画像形成装置と携帯端末と間の無線による接続設定の操作が簡素化されている。
【０００９】
また、特許文献２によると、複数の情報処理装置が接続された画像表示装置において、情報処理装置間でデータ転送を行うためのデータ転送操作時に、転送元と転送先との対応関係をユーザに直感的に認識させ、ユーザに簡単な操作でデータ転送を実行させることが開示されている。
【先行技術文献】
【特許文献】
【００１０】
【特許文献１】特開２０１５−３５７６７号公報
【特許文献２】特開２０１５−４３１２３号公報
【発明の概要】
【発明が解決しようとする課題】
【００１１】
上記の通り、特許文献１によると、画像形成装置と携帯端末と間の無線による接続設定の操作は、簡素化されているものの、画像形成装置の接続先は、情報の送信先の１台の携帯端末にすぎない。
【００１２】
これに対し、一定の関係を有する複数の利用者のそれぞれの携帯端末により、無線を用いて、１台の画像形成装置により提供されるサービスを受けたい、という要望がある。
【００１３】
例えば、コンビニエンスストアに設置された画像形成装置の周囲に、友人関係にある複数の利用者が集まって、それぞれの携帯端末のみを用いて、一つのまとまりのあるジョブとして、画像形成装置が提供するプリントサービスやスキャンサービスの提供を受ける。プリントサービスでは、それぞれの携帯端末から送信される写真データがプリントされ、スキャンサービスでは、画像形成装置によりスキャンされた画像データが、それぞれの携帯端末に対して送信される。
【００１４】
この場合において、友人関係にある複数の利用者の携帯端末からなるグループに対して、友人関係にない第三者の携帯端末の加入が許されるなら、複数の利用者の携帯端末からの写真データを基にして、印刷されて画像形成装置の排出トレイに出力された印刷物を第三者が手に取る可能性があったり、複数の利用者の操作によりスキャンされた画像データが、第三者の携帯端末に送信されるという、不都合が発生する。
【００１５】
本発明は、一定の関係を有する複数の利用者のそれぞれの携帯端末により、無線を用いて、１台の画像形成装置により提供されるサービスを受けるという要望に対応しつつ、上記の不都合が発生することを可能な限り抑制することができる画像形成装置、サービスシステム、制御方法、記録媒体及びコンピュータプログラムを提供することを目的とする。
【課題を解決するための手段】
【００１６】
上記目的を達成するためは、本発明は、携帯端末との間で無線により通信を行う画像形成装置であって、無線により通信を行う無線通信手段と、前記無線通信手段により、複数台の携帯端末から、それぞれの携帯端末を示す識別情報を取得する取得手段と、前記取得手段により取得した複数の識別情報を表示する表示手段と、前記表示手段により表示された前記識別情報のうち、利用者の操作により、複数の識別情報の選択を受け付ける入力手段と、前記入力手段により選択を受け付けた前記識別情報により示される複数の携帯端末との間のみで、前記無線通信手段により、無線通信の確立を行う通信確立手段と、を備えることを特徴とする。
【００１７】
ここで、前記携帯端末は、前記識別情報の一部として、利用者に関連する情報であるプロフィール情報を記憶しており、前記取得手段は、前記プロフィール情報を含む前記識別情報を取得し、前記表示手段は、前記取得手段により取得した前記識別情報を表示してもよい。
【００１８】
ここで、前記取得手段により取得した前記識別情報により示される携帯端末に識別番号を付与する番号付与手段と、前記識別情報により示される前記携帯端末に対して、前記無線通信手段により、前記識別番号を送信する送信手段を備え、前記表示手段は、付与された識別番号とともに、識別情報を表示してもよい。
【００１９】
ここで、前記無線通信手段により無線通信が確立された前記携帯端末との間で、データの送受信を行うデータ送受信手段とを備えるとしてもよい。
【００２０】
ここで、前記データ送受信手段は、無線通信が確立された前記携帯端末から、データを受信し、さらに、受信したデータを印刷する印刷手段を備えるとしてもよい。
【００２１】
ここで、さらに、原稿面上の原稿画像を読み取って、前記データとして多階調画像データを生成する画像読取手段を備え、前記データ送受信手段は、生成された前記データを無線通信が確立された前記携帯端末に対して送信してもよい。
【００２２】
ここで、前記入力手段は、さらに、利用者の操作により、前記画像形成装置により提供されるサービスを利用した場合における対価の決済方法の入力を受け付け、前記決済方法は、複数の前記携帯端末により前記画像形成装置により提供されるサービスを利用した場合において、特定の一台の携帯端末に対して、対価を集約して請求するか、又は、前記複数の携帯端末の各々に対して、対価を請求するかを示し、前記画像形成装置は、さらに、前記決済方法に従って、特定の一台の携帯端末に対して、対価を集約して請求するか、又は、前記複数の携帯端末の各々に対して、対価を請求するかを決定し、特定の一台の携帯端末について、集約した対価を示す対価情報を生成し、又は、前記複数の携帯装置の各々について、対価を示す対価情報を生成する対価情報生成手段を備え、前記データ送受信手段は、前記無線通信手段により、生成した対価情報を、特定の一台の携帯端末、又は、前記複数の携帯装置の各々に対して送信してもよい。
【００２３】
また、本発明は、複数の携帯端末と、前記携帯端末との間で無線により通信を行う画像形成装置とから構成されるサービスシステムであって、前記画像形成装置は、無線により通信を行う無線通信手段と、前記無線通信手段により、複数台の携帯端末から、それぞれの携帯端末を示す識別情報を取得する取得手段と、前記取得手段により取得した複数の識別情報を表示する表示手段と、前記表示手段により表示された前記識別情報のうち、利用者の操作により、複数の識別情報の選択を受け付ける入力手段と、前記入力手段により選択を受け付けた前記識別情報により示される複数の携帯端末との間のみで、前記無線通信手段により、無線通信の確立を行う通信確立手段とを備えることを特徴とする。
【００２４】
また、本発明は、無線により通信を行う無線通信手段を備え、携帯端末との間で無線により通信を行う画像形成装置で用いられる制御方法であって、前記無線通信手段により、複数台の携帯端末から、それぞれの携帯端末を示す識別情報を取得する取得ステップと、前記取得ステップにより取得した複数の識別情報を表示する表示ステップと、前記表示ステップにより表示された前記識別情報のうち、利用者の操作により、複数の識別情報の選択を受け付ける入力ステップと、前記入力ステップにより選択を受け付けた前記識別情報により示される複数の携帯端末との間のみで、前記無線通信手段により、無線通信の確立を行う通信確立ステップとを含むことを特徴とする。
【００２５】
また、本発明は、無線により通信を行う無線通信手段を備え、携帯端末との間で無線により通信を行う画像形成装置で用いられる制御用のコンピュータプログラムを記憶している記録媒体であって、前記無線通信手段により、複数台の携帯端末から、それぞれの携帯端末を示す識別情報を取得する取得ステップと、前記取得ステップにより取得した複数の識別情報を表示する表示ステップと、前記表示ステップにより表示された前記識別情報のうち、利用者の操作により、複数の識別情報の選択を受け付ける入力ステップと、前記入力ステップにより選択を受け付けた前記識別情報により示される複数の携帯端末との間のみで、前記無線通信手段により、無線通信の確立を行う通信確立ステップとを実行するコンピュータプログラムを記憶している、としてもよい。
【００２６】
ここで、本発明は、無線により通信を行う無線通信手段を備え、携帯端末との間で無線により通信を行う画像形成装置で用いられる制御用のコンピュータプログラムであって、コンピュータである画像形成装置に、前記無線通信手段により、複数台の携帯端末から、それぞれの携帯端末を示す識別情報を取得する取得ステップと、前記取得ステップにより取得した複数の識別情報を表示する表示ステップと、前記表示ステップにより表示された前記識別情報のうち、利用者の操作により、複数の識別情報の選択を受け付ける入力ステップと、前記入力ステップにより選択を受け付けた前記識別情報により示される複数の携帯端末との間のみで、前記無線通信手段により、無線通信の確立を行う通信確立ステップとを実行させる、としてもよい。
【発明の効果】
【００２７】
本発明によれば、画像形成装置は、無線を用いて、選択を受け付けた識別情報により示される複数の携帯端末との間のみで、無線通信の確立を行う。この場合に、画像形成装置は、選択を受け付けなかった識別情報により示される第三者の携帯端末との間で、無線通信を確立しないので、無線通信を確立した複数の携帯端末に係る情報が、第三者の携帯端末の利用者に知られることを可能な限り抑制することができる。
【図面の簡単な説明】
【００２８】
【図１】サービスシステム１の概略構成を示す概略構成図である。
【図２】画像形成装置１００の機能構成を示す機能ブロック図である。
【図３】一例として、表示部１１２により表示される画面１３０を示す。画面１３０には、携帯端末リスト１３１が含まれている。
【図４】携帯端末２００ａの機能構成を示す機能ブロック図である。
【図５】（ａ）プロフィール情報２３１及び登録フラグ２３２の一例を示す。（ｂ）基本情報２４１の一例を示す。（ｃ）基本情報２４２の一例を示す。（ｄ）識別情報２４３の一例を示す。（ｅ）識別情報２４４の一例を示す。
【図６】表示部２１２に表示される画面２５１を示す。画面２５１には、プリントサービスを受ける場合に利用者によりタッチ操作される操作画像等が含まれている。
【図７】表示部２１２に表示される画面２５２を示す。画面２５２には、プリントサービスにおける動作状況を示すメッセージ等が含まれている。
【図８】携帯端末におけるプロフィール情報の設定の際の動作を示すフローチャートである。図９へ続く。
【図９】携帯端末側における無線通信伝送アプリの起動等、及び、画像形成装置１００における携帯端末リストの生成、表示、選択受付等の動作を示すフローチャートである。図１０へ続く。
【図１０】画像形成装置１００における選択リストの記憶、画像形成装置１００と携帯端末との間の通信の確立、携帯端末側における印刷指示等、画像形成装置１００における課金方法の判断等の動作を示すフローチャートである。図１１又は図１２へ続く。
【図１１】画像形成装置１００における課金処理、携帯端末側における写真データの送信、画像形成装置１００における写真データの印刷等の動作を示すフローチャートである。
【図１２】現金による課金処理の場合の、携帯端末側における写真データの送信、画像形成装置１００における写真データの印刷等の動作を示すフローチャートである。
【図１３】表示部２１２に表示される画面２５３を示す。画面２５３には、スキャンサービスにおける動作状況を示すメッセージ等が含まれている。
【図１４】スキャンサービスの提供を受ける場合の課金処理等の動作を示すフローチャートである。図１５へ続く。
【図１５】スキャンサービスの提供を受ける場合の画像形成装置１００におけるスキャン処理及び携帯端末側への画像データの送信等、及び、現金による課金の場合における画像形成装置１００のスキャン処理及び携帯端末側への画像データの送信等の動作を示すフローチャートである。
【図１６】一例として、表示部１１２により表示される画面１４０を示す。画面１４０の携帯端末リスト１４１には、割り当てられた識別番号が含まれている。
【図１７】一例として、表示部２１２に表示される画面２５４を示す。画面２５４には、割り当てられた識別番号が含まれている。
【図１８】携帯端末に識別番号を付与する場合の動作を示すフローチャートである。
【図１９】一例として、表示部１１２により表示される画面１５１を示す。
【図２０】画像形成装置１００における決済方法に応じた動作を示すフローチャートである。
【発明を実施するための形態】
【００２９】
１  実施形態１
本発明に係る一つの実施形態１としてのサービスシステム１について、図面を参照しながら説明する。
【００３０】
１．１  サービスシステム１
図１は、サービスシステム１の概略構成を示す概略構成図である。
【００３１】
サービスシステム１は、携帯端末２００ａ、２００ｂ、・・・に記憶されている文書データ、写真データ等を画像形成装置１００により、紙媒体に印刷するプリントサービス、及び、画像形成装置１００により原稿から読み取った多階調の画像データを携帯端末２００ａ、２００ｂ、・・・に送信するスキャンサービス等を利用者に対して提供する。
【００３２】
このサービスシステム１は、例えば、コンビニエンスストア等の公共の場所に設置された画像形成装置１００と、画像形成装置１００を中心とする無線通信エリア３０内に存在する携帯端末２００ａ、２００ｂ、２００ｃ、２００ｄとが、無線通信により、相互に通信可能に接続される構成となっている。この図に示すように、携帯端末２００ｅは、無線通信エリア３０の外に存在するので、無線通信により、画像形成装置１００と接続されることはない。なお、無線通信は、一例として、無線ＬＡＮの規格の一つであるＷｉ−ｆｉにより規定されたものである。
【００３３】
ここで、図１に示すグループ４０（グループ４０を選択グループと呼ぶ。）に含まれる携帯端末２００ａ及び２００ｂは、一例として、特定の複数の携帯端末であり、これらの特定の複数の携帯端末のみにより、無線を用いて、画像形成装置１００を共同して使用する。携帯端末２００ａ及び２００ｂを有する複数の利用者の間には、複数の利用者が同じ組織に属している関係、友人関係、家族の関係等の一定の関係がある。
【００３４】
例えば、無線通信エリア３０内に存在する携帯端末２００ａ及び２００ｂは、それぞれ、内部に記憶している写真データを、無線通信により、画像形成装置１００に送信し、画像形成装置１００は、写真データを受信し、受信した写真データを後述する印刷部１１５により印刷する。
【００３５】
また、画像形成装置１００は、後述する画像読取部１１６により、原稿面上の原稿画像を読み取って、多階調の画像データを生成し、生成した多階調の画像データを、無線通信により、無線通信エリア３０内に存在する携帯端末２００ａ及び２００ｂに対して送信する。携帯端末２００ａ及び２００ｂは、それぞれ、多階調の画像データを受信し、受信した多階調の画像データを内部に記憶する。携帯端末２００ａ及び２００ｂは、利用者の操作により、記憶している多階調の画像データを表示可能である。
【００３６】
このようにして、利用者は、外出先にあっても、コンビニエンスストアに立ち寄れば、携帯端末に記憶されているデータを紙媒体に印刷したり、紙媒体等から読み取った画像データを携帯端末に記憶させたりして、これらの紙媒体やデータを利用することができる。また、特定の複数の携帯端末のみにより、無線を用いて、１台の画像形成装置１００を共同して使用する。このとき、グループ４０に含まれない携帯端末２００ｃ及び２００ｄは、携帯端末２００ａ及び２００ｂが利用するサービスに加わることはできない。
【００３７】
１．２  画像形成装置１００
図２は、画像形成装置１００の機能構成を示す機能ブロック図である。
【００３８】
画像形成装置１００は、例えば、複写機能、ファクシミリ機能及びプリンタ機能等を有する装置であり、この図に示すように、制御部１１１、表示部１１２、記憶部１１３、操作入力部１１４、印刷部１１５、画像読取部１１６、課金処理部１１７、データ通信部１１８、無線通信部１１９、アンテナ１２０及びファクシミリ通信部１２１を備えている。
【００３９】
（１）記憶部１１３
記憶部１１３は、制御部１１１により実行される制御プログラムのワークエリアとして機能するＲＡＭ、及び各種の制御プログラム、アプリケーションプログラム、画像データ等が格納されているＨＤＤ等からなる。
【００４０】
記憶部１１３には、携帯端末リスト１３１及び選択リスト１４７等が記憶される。
【００４１】
携帯端末リスト１３１は、無線通信エリア３０内に存在する１台以上の携帯端末を示す識別情報を含んでいる。また、選択リスト１４７は、携帯端末リスト１３１内の１以上の識別情報のうちから、利用者により選択された識別情報を含んでいる。画像形成装置１００は、選択リスト１４７に含まれる識別情報により示される携帯端末との間で、無線通信により通信を行う。画像形成装置１００は、選択リスト１４７に含まれない識別情報により示される携帯端末との間で、無線通信により通信を行わない。画像形成装置１００は、選択リスト１４７に含まれない識別情報により示される携帯端末からのアクセスを排除する。
【００４２】
（２）制御部１１１
制御部１１１は、記憶部１１３から必要なプログラム等を読み出して実行し、画像形成装置１００全体を制御する。制御部１１１は、取得部１２２、通信確立部１２３、番号付与部１２４、送受信部１２５、対価情報生成部１２６等から構成されている。
【００４３】
取得部１２２は、無線通信エリア３０内に存在する１台又は複数台の携帯端末から、無線通信により、それぞれの携帯端末を示す識別情報を取得する。識別情報にプロフィール情報が含まれる場合には、取得部１２２は、プロフィール情報を含む識別情報を取得する。
【００４４】
通信確立部１２３は、画像形成装置１００と、選択された識別情報により示される１台又は複数台の携帯端末との間のみで、無線通信部１１９により、無線通信による通信を確立する。
【００４５】
番号付与部１２４は、取得した識別情報により示される携帯端末に付与する識別番号を生成する。識別番号は、当該携帯端末を一意に識別する。
【００４６】
送受信部１２５は、画像形成装置１００と、携帯端末との間で、データの送受信を行う。例えば、送受信部１２５は、無線通信部１１９により、各携帯端末に対して、識別番号を送信する。また、送受信部１２５は、無線通信部１１９により、各携帯端末から、写真データ、文書データ等を受信し、無線通信部１１９により、各携帯端末に対して、多階調の画像データを送信する。また、送受信部１２５は、後述する対価情報を、特定の一台の携帯端末、又は、複数の携帯端末に対して、それぞれ、送信する。
【００４７】
対価情報生成部１２６は、プリントサービスやスキャンサービスの提供の対価を示す対価情報を生成する。なお、携帯端末が１台の場合には、当該携帯端末に対する対価情報を生成し、携帯端末が複数台の場合には、複数の携帯端末に対する対価をそれぞれの携帯端末に振り分けて、それぞれの携帯端末に対する対価情報を生成する。
【００４８】
また、対価情報生成部１２６は、後述する決済方法（特定の一台の携帯端末に対して、対価を集約して請求するか、又は、複数の携帯端末の各々に対して、対価を請求するか）に従って、特定の一台の携帯端末に対して、対価を集約して請求するか、又は、前記複数の携帯端末の各々に対して、対価を請求するかを決定する。対価を集約して請求する場合、特定の一台の携帯端末について、集約した対価を示す対価情報を生成する。一方、複数の携帯端末の各々に対して、対価を請求する場合、複数の携帯装置の各々について、対価を示す対価情報を生成する。
【００４９】
（３）画像読取部１１６及び印刷部１１５
画像読取部１１６は、原稿面上の原稿画像を読み取り、多階調の画像データを生成する。
【００５０】
印刷部１１５は、例えば、画像読取部１１６により生成された多階調の画像データ、又は、各携帯端末から受信した写真データや文書データを、電子写真方式により紙媒体等に印刷して記録する。
【００５１】
（４）表示部１１２
表示部１１２は、例えば、液晶表示装置である。なお、表示部１１２は、ＥＬ表示装置等、如何なる種類のものであってもよく、また、画像形成装置１００と一体化された小型のものであっても、また、画像形成装置１００に接続された大型のものであってもよい。
【００５２】
図３は、一例として、表示部１１２により表示される画面１３０を示す。画面１３０は、複数の携帯端末を選択するために用いられる。画面１３０には、各種のメッセージ、利用者によりタッチ操作される操作画像１３４（ＯＫアイコン）等とともに、携帯端末リスト１３１が表示されている。携帯端末リスト１３１は、複数の識別情報１３２、１３３、・・・を含んでいる。各識別情報は、画像形成装置１００を中心とする無線通信エリア３０内に存在することが確認された携帯端末を示す情報である。識別情報には、例えば、当該携帯端末で用いられているオペレーションシステムの版数、当該携帯端末の機種番号、利用者の名称、利用者のプロフィール情報（後述する）等が含まれている。利用者は、携帯端末リスト１３１に表示されている識別情報により、自身の携帯端末を他の携帯端末と区別することができる。
【００５３】
利用者により、画面１３０に表示された複数の識別情報１３２、１３３、・・・の中から、１又は複数の識別情報が選択される。１又は複数の識別情報が選択された後、操作画像１３４がタッチ操作されると、利用者による識別情報の選択が確定される。
【００５４】
（５）操作入力部１１４
操作入力部１１４は、複数の操作キー及び表示部１１２の画面に重ねられたタッチパネルを有し、操作キーやタッチパネルの操作に応じた入力指示を制御部１１１に出力する。例えば、制御部１１１は、操作入力部１１４からの入力指示に応答して画像読取部１１６を制御して、画像読取部１１６により原稿面上の画像を読み取らせ、印刷部１１５を制御して、印刷部１１５により原稿の画像を紙媒体等に印刷させる。また、操作入力部１１４は、例えば、利用者の操作により、課金方法の入力を受け付ける。ここで、課金方法は、現金又は携帯端末での課金のいずれかである。
【００５５】
また、操作入力部１１４は、画面１３０に表示された携帯端末リスト１３１内の複数の識別情報１３２、１３３、・・・のうち、利用者のタッチ操作により、１又は複数の識別情報の選択を受け付ける。
【００５６】
また、操作入力部１１４は、利用者のタッチ操作により、画像形成装置１００が提供するプリントサービスやスキャンサービス等のサービスを使用した場合における対価の決済方法の入力を受け付ける。決済方法は、複数の携帯端末により画像形成装置１００が提供するサービスを使用した場合において、特定の一台の携帯端末に対して、対価を集約して請求するか、又は、複数の携帯端末の各々に対して、対価を請求するかを示す。
【００５７】
（６）課金処理部１１７、データ通信部１１８、無線通信部１１９及びファクシミリ通信部１２１
課金処理部１１７は、プリントサービスやスキャンサービス等の使用料の課金処理を実行する。
【００５８】
データ通信部１１８は、ＬＡＮ等からなるネットワークを通じて、他のサーバ装置との間でデータ通信を行う。
【００５９】
無線通信部１１９は、無線通信により、アンテナ１２０を介して、無線通信エリア３０内に存在する利用者の携帯端末との間で通信を行う。
【００６０】
ファクシミリ通信部１２１は、公衆回線等を通じて、他のファクシミリ端末等との間でファクシミリ通信を行う。
【００６１】
１．３  携帯端末２００ａ、２００ｂ、・・・、２００ｅ
ここでは、携帯端末２００ａ、２００ｂ、・・・、２００ｅを代表して、携帯端末２００ａについて説明する。なお、携帯端末２００ｂ、・・・、２００ｅは、携帯端末２００ａと同一の構成を有しているので、これらの携帯端末についての説明を省略する。また、携帯端末２００ｂ、・・・、２００ｅの構成要素に言及する場合には、携帯端末２００ａの構成要素と同じ符号を用いる。
【００６２】
図４は、携帯端末２００ａの機能構成を示す機能ブロック図である。
【００６３】
携帯端末２００ａは、例えば、電話通話機能、電子メール送受信機能、ネットワーク接続機能、写真撮影機能、アプリケーションプログラム実行機能等を有する携帯型の移動通信装置である。携帯端末２００ａは、この図に示すように、制御部２１１、表示部２１２、記憶部２１３、操作入力部２１４、入出力部２１５、スピーカ２１６、課金処理部２１７、無線通信部２１９、アンテナ２２０、無線通信部２２１、アンテナ２２２及びカメラ部２２３等を備えている。
【００６４】
（１）記憶部２１３
記憶部２１３は、制御部２１１により実行される制御プログラムのワークエリアとして機能し、また、各種の制御プログラム、アプリケーションプログラム、画像データ等が格納されているＲＡＭ等からなる。
【００６５】
また、記憶部２１３は、一例として、図５（ｂ）又は（ｃ）に示す基本情報２４１又は２４２をあらかじめ記憶している。基本情報は、携帯端末を識別するために用いられる識別情報である。一例として、基本情報２４１は、機種名「ＳｍａｒｔＰｈｏｎｅＸ」及び利用者名「△△一郎」を含む。また、一例として、基本情報２４２は、ＯＳ名「ＯｐｅｒａｔｉｎｇＳｙｓｔｅｍ３．０」、機種名「ＡＢＣ１２３」及び利用者名「○○太郎」を含む。基本情報を構成する要素情報は、携帯端末の製造業者により異なる。
【００６６】
利用者は、携帯端末２００ａに、利用者に関連する情報であるプロフィール情報を登録することができる。プロフィール情報は、識別情報の一部を構成する。プロフィール情報として登録する内容については、利用者が自由に設定をすることができる。記憶部２１３は、利用者の設定により、一例として、図５（ａ）に示すプロフィール情報２３１を記憶する。プロフィール情報２３１は、一例として、利用者の住所の一部を含んでいる。また、プロフィール情報２３１は、利用者に関連する他の情報を含んでいるとしてもよい。例えば、プロフィール情報２３１は、利用者の年齢、性別、趣味等であるとしてもよい。また、利用者がプロフィール情報を設定した場合に、その旨を示す登録フラグ２３２「１」が記憶部２１３に記憶される。
【００６７】
利用者によりプロフィール情報が設定された場合には、識別情報として、基本情報とプロフィール情報を結合した情報が用いられる。一例として、図５（ｄ）又は（ｅ）に示す識別情報２４３又は２４４は、図５（ｂ）又は（ｃ）に示す基本情報２４１又は２４２に、プロフィール情報を結合したものである。基本情報だけでなく、プロフィール情報が結合された識別情報によっても、携帯端末が識別される。
【００６８】
（２）制御部２１１
制御部２１１は、記憶部２１３から必要な制御プログラム等を読み出して実行し、携帯端末２００ａ全体を制御する。また、アプリケーションプログラムを読み出して実行する。また、制御部２１１は、無線通信部２２１、無線通信部２１９、課金処理部２１７、入出力部２１５を制御する。また、制御部２１１は、記憶部２１３にアクセスして情報の読み書きを行う。
【００６９】
（３）表示部２１２
表示部２１２は、例えば、液晶表示装置である。なお、表示部２１２は、ＥＬ表示装置等であってもよい。
【００７０】
図６は、一例として、表示部２１２に表示される画面２５１を示す。画面２５１には、プリントサービスを受ける場合に利用者によりタッチ操作される操作画像等が含まれている。操作画像の一つは、無線通信伝送アプリケーションプログラム（以下、無線通信伝送アプリ）を起動するために操作される。ここで、無線通信伝送アプリは、例えば、写真データや文書データを画像形成装置１００に対して送信するためのコンピュータプログラムである。画像形成装置１００に対して送信された写真データや文書データは、画像形成装置１００において、紙媒体等に印刷される。また、画面２５１には、携帯端末２００ａを識別する識別情報が表示されている。
【００７１】
また、図７は、一例として、表示部２１２に表示される画面２５２を示す。画面２５２には、プリントサービスを受ける場合に、携帯端末２００ａから画像形成装置１００に対して、ファイルが送信中であることを示すメッセージが示されている。
【００７２】
また、表示部２１２は、画像形成装置１００から送信された識別番号とともに、識別情報を表示してもよい。
【００７３】
（４）操作入力部２１４
操作入力部２１４は、複数の操作キー及び表示部２１２の画面に重ねられたタッチパネルを有し、操作キーやタッチパネルの操作に応じた入力指示を、入出力部２１５を介して、制御部２１１に出力する。例えば、制御部２１１は、操作入力部２１４からの入力指示に応答して、記憶部２１３に記憶されている写真データを読み取り、無線通信部２１９及びアンテナ２２０を介して、読み出した写真データを、無線通信により、画像形成装置１００に対して、送信する。
【００７４】
（５）スピーカ２１６、カメラ部２２３及び入出力部２１５
スピーカ２１６は、他の携帯端末等との通話における音声を出力する。また、記憶部２１３に記憶されている音声データを制御部２１１の制御により再生して音声を出力する。      
【００７５】
カメラ部２２３は、制御部２１１の制御の元に、外部を撮影して静止画又は動画を生成する。
【００７６】
入出力部２１５は、制御部２１１と、表示部２１２、操作入力部２１４、スピーカ２１６及びカメラ部２２３との間で、データの入出力を中継する。
【００７７】
（６）課金処理部２１７
課金処理部２１７は、例えば、画像形成装置１００から送信された、対価の請求を示す請求情報に対して、支払いを承認するか否かを判断し、その判断結果を画像形成装置１００に対して送信させる。
【００７８】
（７）無線通信部２１９、アンテナ２２０、無線通信部２２１及びアンテナ２２２
無線通信部２１９は、アンテナ２２０を介して、無線通信により、携帯端末２００ａが存在する無線通信エリア３０内に存在する通信端末との間で通信を行う。無線通信エリア３０内に存在し、通信相手となる通信端末は、一例として、画像形成装置１００である。また、無線通信部２１９は、携帯端末２００ａが他の無線通信エリア内に存在する場合には、当該他の無線通信エリア内に存在する通信端末との間で通信を行う。
【００７９】
無線通信部２２１は、アンテナ２２２を介して、無線基地局との間で、無線による通信を行う。無線基地局は、携帯電話網の一端に接続され、携帯電話網の他端には、他の無線基地局が接続され、他の無線基地局は、他の通信端末との間で、無線による通信を行う。この結果、無線通信部２２１は、アンテナ２２２、無線基地局、携帯電話網、他の無線基地局を介して、他の通信端末等との間で、通信を行うことができる。
【００８０】
１．４  実施例１
ここでは、実施例１として、携帯端末におけるプロフィール情報の設定、画像形成装置１００における携帯端末リストの生成、表示、選択受付、画像形成装置１００と携帯端末との間の無線による通信の確立及び画像形成装置１００が提供するプリントサービスおける動作について、以下に説明する。
【００８１】
（１）携帯端末におけるプロフィール情報の設定
ここでは、携帯端末におけるプロフィール情報の設定における動作について、図８に示すフローチャートを用いて、説明する。
【００８２】
携帯端末２００ａの操作入力部２１４は、利用者から様々な操作を受け付ける（ステップＳ１０１）。受け付けた操作が、携帯端末２００ａにおけるプロフィール情報の設定を行う登録アプリケーションプログラム（以下、登録アプリと呼ぶ。）の起動である場合（ステップＳ１０２でＹＥＳ）、携帯端末２００ａにおいて登録アプリが実行され、操作入力部２１４は、利用者からプロフィール情報の入力を受け付ける（ステップＳ１０３）。次に、制御部２１１は、登録フラグを「１」に設定する（ステップＳ１０４）。次に、制御部２１１は、入力を受け付けたプロフィール情報及び登録フラグを記憶部２１３に書き込む（ステップＳ１０５）。次に、表示部２１２は、基本情報及びプロフィール情報からなる識別情報を表示する（ステップＳ１０６）。ここで、ステップＳ１０３からステップＳ１０６までの処理が、登録アプリにより実行される。
【００８３】
以上により、利用者によるプロフィール情報の設定が完了する。
【００８４】
受け付けた操作が、登録アプリの起動ではない場合（ステップＳ１０２でＮＯ）、受け付けた操作に対応するその他の処理が行われる（ステップＳ１０７）。
【００８５】
なお、ここでは、携帯端末２００ａにおいて、プロフィール情報が設定されるとしているが、これには限定されない。その他の携帯端末２００ｂ〜２００ｅにおいて、プロフィール情報が設定されるとしてもよい。
【００８６】
（２）画像形成装置１００における携帯端末リスト１３１の生成、表示、選択受付、画像形成装置１００と携帯端末との間の無線による通信の確立
図８に示す利用者によるプロフィール情報の設定の動作に引き続いて、ここでは、画像形成装置１００における携帯端末リスト１３１の生成、表示、選択受付、画像形成装置１００と携帯端末との間の無線による通信の確立における動作について、図９〜図１０に示すフローチャートを用いて、説明する。
【００８７】
携帯端末２００ａの制御部１１１は、利用者の入力操作（図６を参照）により、無線通信伝送アプリを起動する（ステップＳ１０８ａ）。次に、制御部１１１は、基本情報（機種名、利用者名）、プロフィール情報及び登録フラグを記憶部２１３から読み出し、表示部２１２は、基本情報とプロフィール情報とからなる識別情報を表示し（ステップＳ１０９ａ）、読み出した基本情報（機種名、利用者名）、プロフィール情報及び登録フラグを、無線通信部１１９により、画像形成装置１００に対して送信する（ステップＳ１１０ａ）。
【００８８】
また、携帯端末２００ｂの制御部１１１も、上記と同様にして、利用者の入力操作（図６を参照）により、無線通信伝送アプリを起動する（ステップＳ１０８ｂ）。次に、制御部１１１は、基本情報（ＯＳ名、機種名及び利用者名）を記憶部２１３から読み出し、表示部２１２は、基本情報からなる識別情報を表示し（ステップＳ１０９ｂ）、読み出した基本情報（ＯＳ名、機種名及び利用者名）を、無線通信部１１９により、画像形成装置１００に対して送信する（ステップＳ１１０ｂ）。
【００８９】
さらに、携帯端末２００ｃの制御部１１１も、上記と同様にして、利用者の入力操作（図６を参照）により、無線通信伝送アプリを起動する（ステップＳ１０８ｃ）。次に、制御部１１１は、基本情報（機種名及び利用者名）を記憶部２１３から読み出し、表示部２１２は、基本情報からなる識別情報を表示し（ステップＳ１０９ｃ）、読み出した基本情報（機種名及び利用者名）を、無線通信部１１９により、画像形成装置１００に対して送信する（ステップＳ１１０ｃ）。
【００９０】
なお、上記においては、無線通信伝送アプリを起動した場合に、基本情報からなる識別情報又は基本情報及びプロフィール情報からなる識別情報を表示しているが、これには限定されない。各携帯端末は、アプリを起動していない場合に、デフォルト値として、基本情報を表示してもよい。
【００９１】
画像形成装置１００の操作入力部１１４は、利用者からサービスの入力を受け付ける（ステップＳ１２１）。ここで、入力を受け付けるサービスには、無線通信伝送のサービス、つまり、プリントサービスやスキャンサービスが含まれる。入力を受け付けたサービスが無線通信伝送のサービスではない場合（ステップＳ１２２でＮＯ）、制御部１１１は、入力を受け付けたサービスに対応するその他の処理を行う（ステップＳ１３３）。
【００９２】
入力を受け付けたサービスが無線通信伝送のサービスである場合（ステップＳ１２２でＹＥＳ）、制御部１１１は、無線通信部１１９により、携帯端末のサーチを開始する。つまり、制御部１１１は、無線通信部１１９により、各携帯端末から基本情報等が送信されているか否かを探索する（ステップＳ１２３）。
【００９３】
制御部１１１が携帯端末を検出しない場合、つまり、携帯端末から送信される基本情報等を検出しない場合（ステップＳ１２４で「無し」）、表示部２１２は、携帯端末を検出しなかった旨のメッセージを表示する（ステップＳ１２５）。次に、制御部１１１は、処理をステップＳ１２１に移して、処理を継続する。
【００９４】
制御部１１１が携帯端末を検出した場合、つまり、携帯端末から送信される基本情報等を検出した場合（ステップＳ１２４で「有り」）、制御部１１１は、携帯端末毎に、基本情報（機種名、ＯＳ名、利用者名）、プロフィール情報を含む識別情報を生成する（ステップＳ１２６）。次に、制御部１１１は、登録フラグを送信した携帯端末について、その識別情報が優先的に先頭に配置されるように、携帯端末リスト１３１を生成する（ステップＳ１２７）。
【００９５】
ここで、制御部１１１は、次に示すように、携帯端末リスト１３１内に識別情報を配置する。
【００９６】
制御部１１１は、登録フラグとともに送信された識別情報を携帯端末リスト１３１の先頭に配置する。登録フラグとともに送信された識別情報を複数、検出した場合には、登録フラグとともに送信された複数の識別情報を、検出した順序に従って配置する。登録フラグとともに送信された識別情報の次に、登録フラグを伴うことなく送信された識別情報を配置する。登録フラグを伴うことなく送信された識別情報を複数、検出した場合には、登録フラグを伴うことなく送信された複数の識別情報を検出した順序に従って配置する。
【００９７】
次に、表示部２１２は、制御部１１１により生成された携帯端末リスト１３１を表示する（図３を参照）（ステップＳ１２８）。次に、操作入力部２１４は、表示された携帯端末リスト１３１から、利用者により、１又は複数の識別情報の選択を受け付け、その後、利用者により操作画像１３４がタッチ操作されると、利用者による識別情報の選択が確定する（ステップＳ１２９）。次に、制御部１１１は、選択が確定した識別情報を、選択リスト１４７として、記憶部２１３に書き込む（ステップＳ１３０）。この時点において、選択グループへの新たな携帯端末の加入は、停止される。ここで、ステップＳ１２２において、無線通信伝送サービスが開始されてから、ステップＳ１２９において、識別情報の選択が確定するまでの期間を、識別情報を選択することができる有効期間と呼ぶ。
【００９８】
ここで、選択リスト１４７内の識別情報により示される携帯端末を、一例として、図１に示すグループ４０により示している。
【００９９】
制御部１１１は、選択リスト１４７に含まれる識別情報により示される携帯端末との間のみで、無線による通信を確立する（ステップＳ１３１、ステップＳ１３２）。ここで、例えば、携帯端末２００ａ及び２００ｂを示す識別情報が選択リスト１４７に含まれ、例えば、携帯端末２００ｃを示す識別情報が選択リスト１４７に含まれない場合には、制御部１１１は、携帯端末２００ａ及び２００ｂとの間のみで無線による通信を確立する。一方で、制御部１１１は、携帯端末２００ｃとの間では、無線による通信を確立しない。
【０１００】
このため、これ以降、制御部１１１は、識別情報が選択リスト１４７に含まれる携帯端末２００ａ及び２００ｂとの間で無線による通信が可能となるが、識別情報が選択リスト１４７に含まれない携帯端末２００ｃとの間では、無線による通信を行うことはできない。
【０１０１】
以上により、画像形成装置１００における携帯端末リスト１３１の生成、表示、選択受付、画像形成装置１００と携帯端末との間の無線による通信の確立を完了する。
【０１０２】
以上説明したように、一定の関係を有する複数の利用者のそれぞれの携帯端末のみにより、無線を用いて、１台の画像形成装置１００を共同して使用することができる。このとき、前記の複数の利用者以外の第三者には、画像形成装置１００の使用を拒否することができる。こうして、一定の関係を有する複数の利用者が有するデータを、第三者に知られないようにできる。
【０１０３】
また、画面１３０の携帯端末リスト１３１に表示される識別情報に、利用者のプロフィール情報を含めることができるので、利用者は、自身のプロフィール情報を視認することにより、自身の携帯端末を示す識別情報の選択操作が容易となる。
【０１０４】
（３）画像形成装置１００によるプリントサービス
図１０に示す画像形成装置１００と携帯端末との間の無線による通信の確立の動作に引き続いて、ここでは、画像形成装置１００によるプリントサービスにおける動作について、図１０〜図１２に示すフローチャートを用いて説明する。
【０１０５】
画像形成装置１００と、携帯端末２００ａ及び２００ｂとの間において、無線による通信が確立した後、携帯端末２００ａの操作入力部２１４は、利用者から、記憶部２１３に記憶している写真データのうち、一つ以上の写真データの指定を受け付ける（ステップＳ１４１）。次に、制御部２１１は、指定を受け付けた写真データについて、印刷指示を生成し、生成した印刷指示を、無線通信部１１９を介して、画像形成装置１００に対して送信する（ステップＳ１４２）。
【０１０６】
携帯端末２００ｂの操作入力部２１４も、同様に、利用者から、記憶部２１３に記憶している写真データのうち、一つ以上の写真データの指定を受け付ける（ステップＳ１４３）。次に、制御部２１１は、指定を受け付けた写真データについて、印刷指示を生成し、生成した印刷指示を、無線通信部１１９を介して、画像形成装置１００に対して送信する（ステップＳ１４４）。
【０１０７】
制御部１１１は、無線通信部１１９を介して、各携帯端末から、印刷指示を受信する（ステップＳ１４２、Ｓ１４４）。
【０１０８】
制御部１１１は、印刷指示を送信した携帯端末を示す識別情報が、選択リスト１４７に含まれているか否かを判断し（ステップＳ１４６）、選択リスト１４７に含まれていなければ（ステップＳ１４６で「無し」）、受信した印刷指示を棄却する（ステップＳ１４９）。印刷指示を送信した携帯端末を示す識別情報が、選択リスト１４７に含まれていれば（ステップＳ１４６で「有り」）、対価情報生成部１２６は、受信した印刷指示に基づいて、対価を計算して、対価を示す対価情報を生成する（ステップＳ１４７）。
【０１０９】
操作入力部１１４は、利用者の操作により、課金方法の入力を受け付ける。ここで、課金方法は、現金又は携帯端末での課金のいずれかである。制御部１１１は、課金方法として、現金が指定されたか、携帯端末での課金が指定されたかを判断する（ステップＳ１４８）。
【０１１０】
課金方法が携帯端末での課金である場合（ステップＳ１４８で「携帯端末での課金」）、制御部１１１は、選択リスト１４７に含まれる識別情報の数により、携帯端末が複数台であるか１台であるかを判断する（ステップＳ１５１）。携帯端末が一台である場合（ステップＳ１５１で「１台」）、課金要求として、対価情報をその１台の携帯端末に対して送信する（ステップＳ１５２）。
【０１１１】
携帯端末が複数台である場合（ステップＳ１５１で「複数台」）、制御部１１１は、課金を複数の携帯端末に振り分け（ステップＳ１５３）、課金要求として、振り分けられた対価情報をそれぞれの携帯端末に対して送信する（ステップＳ１５４、Ｓ１５５）。
【０１１２】
携帯端末２００ａの課金処理部２１７は、課金要求に対して、課金を承認する処理を行い、その旨を画像形成装置１００に対して通知する（ステップＳ１５６）。また、携帯端末２００ｂの課金処理部２１７も、同様にして、課金要求に対して、課金を承認する処理を行い、その旨を画像形成装置１００に対して通知する（ステップＳ１５７）。
【０１１３】
課金処理部１１７は、課金処理を行い（ステップＳ１５８）、課金処理が完了したことを示す通知を、携帯端末２００ａ又は携帯端末２００ａ及び２００ｂに対して送信する（ステップＳ１５９、Ｓ１６０）。
【０１１４】
携帯端末２００ａの制御部２１１は、記憶部２１３から写真データを読み出し（ステップＳ１６１）、読み出した写真データを画像形成装置１００に対して送信する（ステップＳ１６３）。
【０１１５】
また、携帯端末２００ｂの制御部２１１も、記憶部２１３から写真データを読み出し（ステップＳ１６２）、読み出した写真データを画像形成装置１００に対して送信する（ステップＳ１６４）。
【０１１６】
画像形成装置１００の制御部１１１は、携帯端末２００ａ及び２００ｂから、写真データを受信する（ステップＳ１６３、Ｓ１６４）。
【０１１７】
制御部１１１は、写真データを送信した携帯端末を示す識別情報が、選択リスト１４７に含まれているか否かを判断し（ステップＳ１６５）、選択リスト１４７に含まれていなければ（ステップＳ１６５で「無し」）、受信した写真データを棄却する（ステップＳ１６７）。写真データを送信した携帯端末を示す識別情報が、選択リスト１４７に含まれていれば（ステップＳ１６５で「有り」）、印刷部１１５は、受信した印刷データを印刷する（ステップＳ１６６）。これにより、携帯端末による課金の場合におけるプリントサービスを終了する。
【０１１８】
課金方法が現金である場合（ステップＳ１４８で「現金」）、課金処理部１１７は、現金を受け付ける（ステップＳ１７１）。次に、課金処理部１１７は、課金処理が完了したことを示す通知を、携帯端末２００ａ及び２００ｂに対して送信する（ステップＳ１７２、Ｓ１７３）。
【０１１９】
携帯端末２００ａの制御部２１１は、記憶部２１３から写真データを読み出し（ステップＳ１７４）、読み出した写真データを画像形成装置１００に対して送信する（ステップＳ１７６）。
【０１２０】
また、携帯端末２００ｂの制御部２１１も、記憶部２１３から写真データを読み出し（ステップＳ１７５）、読み出した写真データを画像形成装置１００に対して送信する（ステップＳ１７７）。
【０１２１】
画像形成装置１００の制御部１１１は、携帯端末２００ａ及び２００ｂから、写真データを受信する（ステップＳ１７６、Ｓ１７７）。
【０１２２】
制御部１１１は、写真データを送信した携帯端末を示す識別情報が、選択リスト１４７に含まれているか否かを判断し（ステップＳ１７８）、選択リスト１４７に含まれていなければ（ステップＳ１７８で「無し」）、受信した写真データを棄却する（ステップＳ１１８０）。写真データを送信した携帯端末を示す識別情報が、選択リスト１４７に含まれていれば（ステップＳ１７８で「有り」）、印刷部１１５は、受信した印刷データを印刷する（ステップＳ１７９）。これにより、現金による課金の場合におけるプリントサービスを終了する。
【０１２３】
以上の通り、画像形成装置１００と携帯端末との間のデータの送受信により、プリントサービスの提供を受けることができる。
【０１２４】
また、画像形成装置１００は、無線を用いて、選択を受け付けた識別情報により示される複数の携帯端末との間のみで、無線通信の確立を行う。この場合に、画像形成装置１００は、選択を受け付けなかった識別情報により示される第三者の携帯端末との間で、無線通信を確立しないので、無線通信を確立した複数の携帯端末に係る情報が、第三者の携帯端末の利用者に知られることを可能な限り抑制することができる。
【０１２５】
１．５  実施例２
図１０に示す画像形成装置１００と携帯端末との間の無線による通信の確立の動作に引き続いて、ここでは、実施例２として、画像形成装置１００が提供するスキャンサービスにおける動作について、図１４及び図１５に示すフローチャートを用いて説明する。
【０１２６】
画像形成装置１００の操作入力部１１４は、利用者からスキャン条件の入力を受け付ける（ステップＳ２０１）。スキャン条件は、例えば、原稿のサイズ、モノクロスキャンをするかカラースキャンをするか、縮小率、拡大率、読み取り濃さ等である。対価情報生成部１２６は、受け付けたスキャン条件を元にして、スキャンに対する対価を計算して、対価を示す対価情報を生成する（ステップＳ２０２）。
【０１２７】
操作入力部１１４は、利用者から課金方法の入力を受け付ける。ここで、上記の通り、課金方法は、現金又は携帯端末での課金のいずれかである。制御部１１１は、課金方法として、現金が指定されたか、携帯端末での課金が指定されたかを判断する（ステップＳ２０３）。
【０１２８】
課金方法が携帯端末での課金である場合（ステップＳ２０３で「携帯端末での課金」）、制御部１１１は、選択リスト１４７に含まれる識別情報の数により、携帯端末が複数台であるか１台であるかを判断する（ステップＳ２０４）。携帯端末が一台である場合（ステップＳ２０４で「１台」）、課金要求として、対価情報をその１台の携帯端末に対して送信する（ステップＳ２０５）。
【０１２９】
携帯端末が複数台である場合（ステップＳ２０４で「複数台」）、制御部１１１は、課金を複数の携帯端末に振り分け（ステップＳ２０６）、課金要求として、振り分けられた対価情報をそれぞれの携帯端末に対して送信する（ステップＳ２０７、Ｓ２０８）。
【０１３０】
携帯端末２００ａの課金処理部２１７は、課金要求に対して、課金を承認する処理を行い、その旨を画像形成装置１００に対して通知する（ステップＳ２０９）。また、携帯端末２００ｂの課金処理部２１７も、同様にして、課金要求に対して、課金を承認する処理を行い、その旨を画像形成装置１００に対して通知する（ステップＳ２１０）。
【０１３１】
課金処理部１１７は、課金処理を行い（ステップＳ２１１）、課金処理が完了したことを示す通知を、携帯端末２００ａ又は携帯端末２００ａ及び２００ｂに対して送信する（ステップＳ２１２、Ｓ２１３）。
【０１３２】
画像読取部１１６は、スキャン条件に従って、原稿面上の画像を読み取り、多階調の画像データを生成し（ステップＳ２１４）、生成した画像データを、選択リスト１４７に含まれる携帯端末に対して送信する（ステップＳ２１５、Ｓ２１７）。
【０１３３】
このとき、携帯端末２００ａの表示部２１２には、一例として、図１３に示す画面２５３が表示される。画面２５３は、携帯端末２００ａが画像形成装置１００からファイルを受信中であることを示す。携帯端末２００ｂの表示部にも、同じ画面が表示される。
【０１３４】
画像データの受信が完了すると、携帯端末２００ａの制御部１１１は、受信した画像データを記憶部１１３に書き込む（ステップＳ２１６）。また、画像データの受信が完了すると、携帯端末２００ｂの制御部１１１も、受信した画像データを記憶部１１３に書き込む（ステップＳ２１８）。これにより、携帯端末による課金の場合におけるスキャンサービスが終了する。
【０１３５】
課金方法が現金である場合（ステップＳ２０３で「現金」）、画像読取部１１６は、スキャン条件に従って、原稿面上の画像を読み取り、多階調の画像データを生成し（ステップＳ２２１）、生成した画像データを、選択リスト１４７に含まれる携帯端末に対して送信する（ステップＳ２２２、Ｓ２２４）。
【０１３６】
このとき、携帯端末２００ａの表示部２１２には、一例として、図１３に示す画面２５３が表示される。携帯端末２００ｂの表示部にも、同じ画面が表示される。
【０１３７】
画像データの受信が完了すると、携帯端末２００ａの制御部１１１は、受信した画像データを記憶部１１３に書き込む（ステップＳ２２３）。また、画像データの受信が完了すると、携帯端末２００ｂの制御部１１１も、受信した画像データを記憶部１１３に書き込む（ステップＳ２２５）。これにより、現金による課金の場合におけるスキャンサービスが終了する。
【０１３８】
以上の通り、画像形成装置１００と携帯端末との間のデータの送受信により、利用者は、スキャンサービスの提供を受けることができる。
【０１３９】
１．６  実施例３
実施例３では、画像形成装置１００の番号付与部１２４は、各携帯端末に対して、一意に、識別番号を割り当て、表示部１１２は、識別番号を含む、携帯端末の識別情報を表示し、番号付与部１２４は、割り当てた識別番号を携帯端末に送信する。一方、当該携帯端末は、識別番号を受信し、受信した識別番号を表示する。
【０１４０】
一例として、画像形成装置１００の表示部１１２に表示される画面１４０を図１６に示す。
【０１４１】
画面１４０には、各種のメッセージ、利用者によりタッチ操作される操作画像１４４（ＯＫアイコン）等とともに、携帯端末リスト１４１が表示されている。携帯端末リスト１４１は、複数の識別情報１４２、１４３、・・・を含んでいる。各識別情報は、画像形成装置１００を中心とする無線通信エリア３０内に存在することが確認された携帯端末を示す情報である。識別情報には、例えば、当該携帯端末に対して割り当てられた識別番号、当該携帯端末で用いられているオペレーションシステムの版数、当該携帯端末の機種番号、利用者の名称、利用者のプロフィール情報が含まれている。利用者は、携帯端末リスト１４１に表示されている識別情報により、特に、識別情報に含まれる識別番号により、自身の携帯端末を他の携帯端末と区別することができる。
【０１４２】
利用者により、画面１４０に表示された複数の識別情報１４２、１４３、・・・の中から、１又は複数の識別情報が選択される。１又は複数の識別情報が選択された後、操作画像１４４がタッチ操作されると、利用者による識別情報の選択が確定される。
【０１４３】
ここで、図３に示す画面１３０と比較すると、画面１４０の携帯端末リスト１４１内の各識別情報には、識別番号が含まれているが、画面１３０の携帯端末リスト１３１内の各識別情報には、識別番号が含まれていない。この点において、画面１４０は、画面１３０と相違している。
【０１４４】
次に、図１７に、携帯端末２００ａの表示部２１２に表示される画面２５４を示す。
【０１４５】
画面２５４には、画像形成装置１００から、携帯端末２００ａ宛に送信された識別番号が表示されている。
【０１４６】
利用者は、画面２５４を見て、自身の携帯端末に割り当てられた識別番号を知って、画面２５４に表示された識別番号と同じ識別番号を含む識別情報を、画像形成装置１００の表示部１１２に表示された携帯端末リスト１４１から選択することにより、確実に自身の携帯端末を選択することができる。
【０１４７】
次に、図９に示す識別情報の生成、携帯端末リストの生成、携帯端末リストの表示の動作（ステップＳ１２６〜Ｓ１２８）に代えて、画像形成装置１００における識別番号の生成、識別情報の表示、識別番号の送信及び携帯端末における識別番号の受信、表示の動作について、図１８に示すフローチャートを用いて説明する。
【０１４８】
番号付与部１２４は、携帯端末毎に固有であり、当該携帯端末を識別することができる識別番号を生成する（ステップＳ２６１）。次に、番号付与部１２４は、無線通信部１１９により、携帯端末２００ａ、２００ｂ、２００ｃに対して、それぞれの識別番号を送信する（ステップＳ２６２、Ｓ２６３、Ｓ２６４）。
【０１４９】
携帯端末２００ａの表示部２１２は、受信した識別番号を画面２５４において表示する（ステップＳ２６８）。携帯端末２００ｂの表示部２１２も、受信した識別番号を表示し（ステップＳ２６９）、携帯端末２００ｃの表示部２１２も、受信した識別番号を表示する（ステップＳ２７０）。
【０１５０】
画像形成装置１００の制御部１１１は、携帯端末毎に、識別番号、機種名、ＯＳ名、利用者名等を含む識別情報を生成する（ステップＳ２６５）。次に、制御部１１１は、生成した複数の識別情報を含む携帯端末リスト１４１を生成し（ステップＳ２６６）、表示部１１２は、画面１４０のように、携帯端末リスト１４１を表示する（ステップＳ２６７）。
【０１５１】
これにより、画像形成装置１００における識別番号の生成、識別情報の表示等及び携帯端末における識別番号の表示等の動作についての説明を終了する。
【０１５２】
上記の通り、画面１３０の携帯端末リスト１４１に、携帯端末に割り当てられた識別番号が表示され、携帯端末には、携帯端末に割り当てられた識別番号が表示される。利用者は、自身の携帯端末により、当該携帯端末に割り当てられた識別番号を知ることができるので、画面１３０の携帯端末リスト１４１から、自身の携帯端末を示す識別情報の選択操作が容易となる。
【０１５３】
１．７  実施例４
実施例４では、複数の携帯端末により、画像形成装置１００が提供するサービスを利用する場合に、サービスの対価を、複数の携帯端末のうちの特定の一台により決済するか（つまり、特定の一人の利用者が対価を支払うか）、又は、複数の携帯端末のそれぞれにより決済するか（つまり、複数の利用者がそれぞれ対価を支払うか）を選択する。
【０１５４】
画像形成装置１００の表示部１１２には、一例として、図１９に示すように、決済方法の選択を利用者に求める画面１５１が表示される。
【０１５５】
画面１５１には、一人で支払うことを選択するときに、利用者によりタッチ操作される操作画像１５２、及び、複数人で支払うことを選択するときに、利用者によりタッチ操作される操作画像１５３が含まれている。操作画像１５２に対して、タッチ操作された場合には、サービスの対価を、複数の携帯端末のうちの特定の一台により決済する。一方、操作画像１５３に対して、タッチ操作された場合には、複数の携帯端末のそれぞれにより決済する。
【０１５６】
なお、操作画像１５２に対して、タッチ操作された場合には、画像形成装置１００は、さらに、複数の携帯端末のうちのどの携帯端末により決済をするかの選択を、利用者に求める。利用者は、決済をする携帯端末を指定する。
【０１５７】
次に、図１１に示す携帯端末が複数台の場合の課金の振り分け及び課金要求の動作（ステップＳ１５３〜Ｓ１５５）に代えて、画像形成装置１００における決済方法に応じた動作について、図２０に示すフローチャートを用いて説明する。
【０１５８】
画像形成装置１００の制御部１１１は、選択リスト１４７に複数の識別情報が含まれているか否かにより、携帯端末の台数が複数であるか否かを判断する（ステップＳ２９１）。携帯端末が１台である場合には（ステップＳ２９１で「１台」）、課金処理部１１７は、その１台の携帯端末により、サービスの対価を決済する。
【０１５９】
携帯端末の台数が複数である場合には（ステップＳ２９１で「複数台」）、制御部１１１は、利用者により選択された決済方法が特定の一台による決済か、複数の携帯端末のそれぞれによる決済かを判断する（ステップＳ２９２）。
【０１６０】
複数の携帯端末のそれぞれによる決済である場合（ステップＳ２９２で「個々」）、課金処理部１１７は、それぞれの携帯端末に対する課金要求を生成し、それぞれの携帯端末に対して、課金要求を送信する（ステップＳ２９３、Ｓ２９４、Ｓ２９５）。
【０１６１】
特定の一台による決済である場合（ステップＳ２９２で「集約」）、利用者により選択された特定の一台の携帯端末に対する課金要求を生成し、その特定の携帯端末に対して、課金要求を送信する（ステップＳ２９６）。
【０１６２】
課金要求を受信した各携帯端末により、課金要求が承認され、それぞれの課金処理が行われる。
【０１６３】
以上説明したように、携帯端末の台数が複数である場合、利用者により選択された決済方法が特定の一台による決済か、複数の携帯端末のそれぞれによる決済に応じて、決済の方法を選択することができるので、より柔軟な決済方法を提供することができる。
【０１６４】
２  その他の変形例
本発明は、上記の実施形態及び各実施例に限定されない。以下に示すようにしてもよい。
【０１６５】
（１）変形例１
選択リスト１４７に複数の識別情報が記録され、選択リスト１４７に含まれる識別情報により示される各携帯端末と、画像形成装置１００との間の通信が確立した後において、選択グループの有効期間は、次のようにして決定してもよい。
【０１６６】
（ａ）選択リスト１４７に含まれる識別情報により示される全ての携帯端末からのプリントサービス及びスキャンサービスが完了した後、つまり、プリントが完了し、及び、スキャンにより生成された多階調の画像データの送信が完了した時に、選択グループの有効期間は、終了する。
【０１６７】
この場合には、プリントサービス及びスキャンサービスが完了した後、直ちに、次のプリントサービス及びスキャンサービスの提供を開始することができる。
【０１６８】
（ｂ）（ａ）のプリントサービス及びスキャンサービスが完了した後も、選択グループの有効期間は、継続し、画像形成装置１００の操作入力部１１４に対する利用者による選択グループの有効期間を終了させる操作により、選択グループの有効期間が終了する。
【０１６９】
この場合には、利用者は、利用者による選択グループの有効期間を終了させる操作がされるまでの間、継続して、プリントサービス及びスキャンサービスの提供を受けることができる。
【０１７０】
（２）変形例２
（選択グループへの追加及び削除）
上記において説明したように、図１０に示すステップＳ１３０において、選択された識別情報が選択リストとして記憶された後、選択グループへの新たな携帯端末の加入は、停止される。
【０１７１】
しかし、本発明は、これには限定されない。
【０１７２】
選択された識別情報が選択リストとして記憶された後であっても、選択グループへの新たな携帯端末の加入を許可してもよい。
【０１７３】
画像形成装置１００の表示部１１２により、再度、図３に示す画面１３０が表示され、画面１３０の携帯端末リスト１３１から、利用者により、新たに識別情報が選択されるとしてもよい。これにより、新たに、選択グループへの携帯端末の加入が行われる。
【０１７４】
また、選択された識別情報が選択リストとして記憶された後であっても、選択グループからの携帯端末の削除を許可してもよい。
【０１７５】
画像形成装置１００の表示部１１２により、再度、図３に示す画面１３０が表示され、画面１３０の携帯端末リスト１３１から、利用者により、既に選択した識別情報が削除されるとしてもよい。これにより、新たに、選択グループから、登録された携帯端末の削除が行われる。
【０１７６】
以上により、選択グループへの携帯端末の新たな加入及び選択グループからの削除が行えるので、自由度の高い運用を行うことができる。
【０１７７】
（３）変形例３
画像形成装置１００及び各携帯端末は、それぞれ、マイクロプロセッサとメモリとを備えたコンピュータシステムである。メモリは、制御用のコンピュータプログラムを記憶しており、マイクロプロセッサは、制御用のコンピュータプログラムに従って動作する。
【０１７８】
制御用のコンピュータプログラムは、コンピュータ読み取り可能な記録媒体、例えば、フレキシブルディスク、ハードディスク、光ディスク半導体メモリなどに記録されているとしてもよい。
【０１７９】
また、制御用のコンピュータプログラムを、電気通信回線、インターネットを代表とするネットワーク等を経由して伝送するとしてもよい。
【０１８０】
（４）上記実施形態、各実施例及び上記変形例をそれぞれ組み合わせるとしてもよい。
【産業上の利用可能性】
【０１８１】
本発明にかかる画像形成装置は、無線を用いて、選択を受け付けた識別情報により示される複数の携帯端末との間のみで、無線通信の確立を行うことができ、画像形成装置と複数台の携帯端末との間で、無線により、通信を確立する技術として有用である。
【符号の説明】
【０１８２】
１    サービスシステム
３０    無線通信エリア
１００    画像形成装置
１１１    制御部
１１２    表示部
１１３    記憶部
１１４    操作入力部
１１５    印刷部
１１６    画像読取部
１１７    課金処理部
１１８    データ通信部
１１９    無線通信部
１２０    アンテナ
１２１    ファクシミリ通信部
１２２    取得部
１２３    通信確立部
１２４    番号付与部
１２５    送受信部
１２６    対価情報生成部
２００ａ〜２００ｅ  携帯端末
２１１    制御部
２１２    表示部
２１３    記憶部
２１４    操作入力部
２１５    入出力部
２１６    スピーカ
２１７    課金処理部
２１９    無線通信部
２２０    アンテナ
２２１    無線通信部
２２２    アンテナ
２２３    カメラ部
【図１】
2019202439.tif 000003
【図２】
2019202439.tif 000004
【図３】
2019202439.tif 000005
【図４】
2019202439.tif 000006
【図５】
2019202439.tif 000007
【図６】
2019202439.tif 000008
【図７】
2019202439.tif 000009
【図８】
2019202439.tif 000010
【図９】
2019202439.tif 000011
【図１０】
2019202439.tif 000012
【図１１】
2019202439.tif 000013
【図１２】
2019202439.tif 000014
【図１３】
2019202439.tif 000015
【図１４】
2019202439.tif 000016
【図１５】
2019202439.tif 000017
【図１６】
2019202439.tif 000018
【図１７】
2019202439.tif 000019
【図１８】
2019202439.tif 000020
【図１９】
2019202439.tif 000021
【図２０】
2019202439.tif 000022